(57)【要約】【課題】スポンジに繊維を結合した材質を用いて構成し、吸水容易なスポンジ箒を提供すること。【解決手段】清潔部、固定部及び取っ手から構成され、清潔部は板状のポリビニールアルコール及び繊維の複合材であり、それには平坦な底部及び二つの側面を備え、清潔部の上端部には長手方向に沿った溝を備え、溝内には硬い板が設置され、固定部の下端部は清潔部に固定され、上端部は取っ手に結合される。【選択図】図１Ｂ
0003156082.tif 000002
【実用新案登録請求の範囲】
【請求項１】
スポンジ箒であって、
板状のポリビニールアルコール及び繊維の複合材よりなる清潔部を含み、
前記清潔部は貫通性隙孔構造を有する繊維状材料を基材とし、ＰＶＡ発泡材が注ぎ込まれたときに隙孔を経て基材を浸流包結し、発泡成型作業を経て二つの材料が一体に結合されて、ＰＶＡ材質の親水特性を用いて極めていい吸水性を保有し、
スポンジの吸水速度及び清潔効果を向上するように、基材の繊維状隙孔構造によってスポンジに適当な荒い表面が形成されていることを特徴とするスポンジ箒。
【請求項２】
前記清潔部には円弧形の底部及び二つの側面を備え、清潔部の上端部には長手方向に沿った溝を備え、溝内には硬い板が設置され、その硬い板の溝内に設置される下半部には複数個の孔を備え、溝から露出した上半部にも複数個の孔を備え、清潔部側面の上端部に近い位置にも複数個の孔を備え、複数個の孔は硬い板の複数個の孔に対応し、締め付け部材は孔を通じて清潔部と硬い板を締め付け固定するものを特徴とする請求項１記載のスポンジ箒。
【請求項３】
前記スポンジ箒は更に固定部と取っ手とを含み、
前記固定部は下端部に清潔部の上端部を設置する挿し溝を備え、かつ下端部には清潔部の硬い板の上半部の孔に対応する孔を備え、
締め付け部材は孔より固定部、清潔部及び硬い板を通して清潔部と固定部を締め付け固定し、
固定部の上端には挿し孔を備え、
取っ手は固定部上端の挿し孔に収納され、
取っ手と固定部は運用に適する角度で結合され、
取っ手は一般使用者が使い心地よく掃除が行えるように長い棒であることを特徴とする請求項２記載のスポンジ箒。
【請求項４】
前記清潔部の二つの側面の中間個所にはそれぞれ長手方向に沿った円形の溝を備え、
底部に近い個所にはそれぞれ長手方向に沿って違った深さのある複数個の四角形溝を備え、
それらの溝は清潔される表面との接触面積を増やすことができるように清潔部を曲げられるように構成したことを特徴とする請求項３記載のスポンジ箒。
【請求項５】
前記清潔部には円弧形底部及び二つの側面を備え、
清潔部の上端部には長手方向に沿った溝を備え、
溝内には硬い板が設置され、
その硬い板の頂端は溝から露出し、かつ幅が硬い板の厚さより大きい頂板を備え、
硬い板の溝内に設置される下半部には複数個の孔を備え、
清潔部側面の上端部に接近する位置には複数個の孔を備え、
その複数個の孔は硬い板の下半部の孔に対応し、締め付け部材はそれら孔を通じて清潔部と硬い板を締め付け固定したことを特徴とする請求項１記載のスポンジ箒。
【請求項６】
前記スポンジ箒は更に固定部が挿し溝内の奥にレール溝を備え、
レール溝は清潔部の硬い板の頂板に対応していて、
固定部の側方から頂板を供えた硬い板を出し入れできるように挿し溝とレール溝の両端は開放されていて、
清潔部を取り替え可能なように硬い板と頂板が固定部の挿し溝とレール溝とに滑り込んだ状態で清潔部と固定部とを着脱自在に結合し、
固定部の上端には挿し孔を有し、
取っ手は固定部上端の挿し孔に収納され、
取っ手と固定部は運用に適する角度で結合され、
取っ手は一般使用者が使い心地よく掃除が行えるように長い棒であることを特徴とする請求項５記載のスポンジ箒。
【請求項７】
前記清潔部の二つの側面の中間個所にはそれぞれ長手方向に沿った円形の溝を備え、底部に近い個所にはそれぞれ長手方向に沿って違った深さのある複数個の四角形溝を備え、それら溝は清潔部をより容易に曲げられ、清潔される表面との接触面積を増やすことができるものを特徴とする請求項６記載のスポンジ箒。
【考案の詳細な説明】
【技術分野】
【０００１】
本考案は箒の一種に関し、特にスポンジ（ｓｐｏｎｇｅ）に繊維を結合した材質を用いて構成し、吸水容易なスポンジ箒に関するものである。
【背景技術】
【０００２】
環境の清潔と快適さを求めるため、一般の場所または居住環境を吸塵器、箒等の用具を使用して塵埃を清掃するほか、更に水または清潔剤で床面に残された塵埃または汚れをきれいに拭き取らなければならない。現在利用可能な清潔用品は種類が多い。伝統的な箒の他に箒から発展して生まれた各種商品の他、スポンジも清潔工具によく見られる材料の一つである。
従来の技術ではポリビニールアルコール（polyvinyl alcohol,  ＰＶＡ）を使って筒状に成型したものを清潔に用いる個所とし、ＰＶＡの吸水力が強い特性を用いてその個所を濡らし、床面の汚れを拭き取り、または床面の水たまりをＰＶＡの筒状物に吸い付ける。
ところが、ＰＶＡは吸水の特性を有するものの、完全に乾燥したＰＶＡを濡らす場合にやや長い時間を要し、使用者は先にＰＶＡ材質の清潔部を水の中に入れ、ある時間待ってから使用することができる。
さらに従来技術のＰＶＡ製の清潔部はやや大きな摩擦係数があって粘着しにくく、使用者は場合によって特定材質の表面で順調に拭き取り及び清潔の動作を行うことができない。
このほか、円形筒状の清潔部と地面が接触する面積に限度があるため、使用者はやや大きな力と時間を費やして清掃しなければならず、同時に清潔部を頻繁に洗浄しなければ清潔部に付着した汚れを他所へ拡散するため、清潔効率が低いものであった。
【０００３】
本考案は上述した従来技術の欠点を改善するために成されたもので、本考案はポリビニールアルコール及び繊維の複合材質を提供するものであり、ＰＶＡ材質の親水特性を保有するほか、更に進んで荒い表面を与えて清潔効果を向上することができる。ＰＶＡ材質の親水特性を用いて極めてよい吸水性を保有し、基材の繊維状隙孔構造によってスポンジに適当な荒い表面を与え、それによってスポンジの吸水速度と清潔効能を向上する。
特殊なシート（sheet）状の造形を通じ、本考案は塵埃を掻き散らさない箒を提供でき、同時に床面を引きずって良好に清潔する効果が得られる。これにより、従来の構造体による汚れ除去効果がよくないといった欠点を解決するものである。
【考案の概要】
【考案が解決しようとする課題】
【０００４】
本考案の主要な目的は、ポリビニールアルコール及び繊維の複合材を使ったスポンジ箒を提供し、快速に吸水及び清掃に便利な形状を用い、使用者に多様な使用性及び清潔効率の向上を図れる箒を提供することにある。
【図面の簡単な説明】
【０００５】
【図１Ａ】本考案のスポンジ箒の一最適実施例の分解図である。
【図１Ｂ】本考案のスポンジ箒の一最適実施例の意表図である。
【図２】本考案のスポンジ箒の断面図である。
【図３】本考案のスポンジ箒を床清掃に運用した意表図である。
【図４】本考案のスポンジ箒の別の最適実施例の意表図である。
【考案を実施するための形態】
【０００６】
以降に図面を参照しながら本考案の最適な実施の形態について詳しく説明する。
【０００７】
先ず、図１、２に基づいて説明する。本考案に係るスポンジ箒１は、清潔部１０、固定部２０及び取っ手３０から構成される。
【０００８】
清潔部１０は板状のポリビニールアルコール及び繊維の複合材質であり、ＰＶＡ材質の親水性を保有するするほか、更に進んで荒い表面を与え、吸水速度及び清潔効能を向上するものである。
清潔部１０は貫通性隙孔を備える繊維状材料を基材とし、ＰＶＡ発泡材を注入するときは隙孔を経由して基材を浸流包結し、発泡成型作業を経て二種の材料を一体に結合させ、ＰＶＡ材質の親水性を用いて極めていい吸水性を保有し、基材の繊維状隙孔構造によってスポンジに適当な荒い表面を与え、スポンジの清潔効能を向上し、それによって従来のスポンジ構造の汚れ除去不良の欠点を解決するものである。
【０００９】
清潔部１０には円弧形の底部１１０及び二つの側面１２０を備える。清潔部の上端部１３０には長手方向に沿った溝１３１を備える。溝１３１内には“凸”字形状に近似した硬い板１３２が設置される。その硬い板１３２の溝１３１内に設置される部分にも複数個の孔１３４を備え、溝１３１から露出した部分にも複数個の孔１３５を備える。清潔部の側面１２０の上端部に近い位置には複数個の孔１４０を備える。複数個の孔１４０は硬い板１３２の複数個の孔１３４に対応する。締め付け部材１３６は孔１４０と１３４を通じて清潔部１０と硬い板１３２を締め付け固定する。清潔部１０の二つの側面１２０の中間個所にはそれぞれ長手方向に沿った円形の溝１５０を備える。底部１１０に近い個所にはそれぞれ長手方向に沿った違った深さのある複数個の四角形溝１５１を備える。溝１５０、１５１は清潔部１０をより容易に曲げらるようにし、清潔にされる表面との接触面積を増やすことができる。
【００１０】
固定部２０の下端部２１０には清潔部の上端部１３０と硬い板１３２に対応し、清潔部の上端部１３０と硬い板１３２を設置することができる挿し溝２２０を備える。下端部２１０には清潔部１０の硬い板１３２の孔１３５に対応する孔２４０を備える。締め付け部材２３１は孔２４０及び１３５より固定部２０及び硬い板１３２を通して清潔部１０と固定部２０を締め付け固定する。固定部２０の上端には挿し孔２５０が備えられて取っ手３０を収納及び固定し、取っ手３０と固定部２０は運用に適合する角度で結合される。
【００１１】
取っ手３０は長い棒で、それの長さは一般使用者が快適に掃除を行うことを有利にする。
【００１２】
使用する時はスポンジ箒１の清潔部１０を水の中に漬けて適当に濡らす。本考案は特殊なＰＶＡ繊維の複合材料により、清潔部１０が迅速に吸水して濡れる。使用者は一般の箒を使う方法のように清潔部１０の下端部１１０を用いて塵埃及び汚れを掃除する。このとき、埃の飛び上がりは発生しない。または図３に示すように力を施して清潔部１１０を押し曲げ、それの側面１２０と床面のような清掃する個所は大面積の面接触になり、床面を引きずる効果が得られる。
【００１３】
図４に本考案の別の実施形態を示す。清潔部１０の上端部１３０には長手方向に沿った溝１３１を備える。溝１３１内には硬い板１３２が設置されてある。硬い板１３２の頂端は溝１３１から露出し、かつ幅が硬い板１３２の厚さより大きい頂板１３３を備える。固定部２０の下端部２１０の挿し溝２２０内には硬い板１３２の頂板１３３に対応するレール溝（rail）２６０を備える。挿し溝２２０のレール溝２６０両端は開放されて、固定部２０の側方から頂板１３３を供えた硬い板１３２を出し入れできる。硬い板１３２は頂板１３３によって固定部２０のレール溝２６０に滑り込む。清潔部１０と固定部２０は結合することができ、使用者は必要によって清潔部１０を取り替えることができる。
【００１４】
以上の記載は本考案の好適な実施形態についての説明であって、本考案はこれらの形態に限定されるものではない。およそ本考案の精神によって行った均等な置換や変更は、すべて本考案に含まれるべきものである。
【符号の説明】
【００１５】
１０      清潔部
１１０    底部
１２０    側面
１３０    上端部
１３１    溝
１３２    硬い板
１３３    頂板
１３４    孔
１３５    孔
１３６    締め付け部材
１４０    孔
１５０    円形溝
１５１    各形溝
２０      固定部
２１０    下端部
２２０    挿し溝
２３０    締め付け部材
２４０    挿し孔
２５０    挿し孔
２６０    レール溝
３０      取っ手
【図１Ａ】
0003156082.tif 000003
【図１Ｂ】
0003156082.tif 000004
【図２】
0003156082.tif 000005
【図３】
0003156082.tif 000006
【図４】
0003156082.tif 000007